(57)【要約】      （修正有）【課題】現場で測った所を記したあと縦定規の所へたたむ事により何度でも測る事ができるとともに、持ち歩くことができる拡大自由差し金を提供する。【解決手段】縦定規１と横定規２をナット３で止めて動くようにし、横定規の先端に金具４で取り外しのできる支えの竿５を付け、その竿の先端を縦定規のスライド６に取り外しの出来るように取り付けて、縦定規と横定規と竿とで三角形の形とし、スライドと縦定規の接点に目盛を付けることにより、縦定規と横定規の角度を測る。【選択図】図１
0003203810.tif 000002
【実用新案登録請求の範囲】
【請求項１】
建築の職人の使う曲尺を拡大して自由差し金として使う物である、縦定規と横定規の角度を、自由に動かして測る事を目的とする、前記の縦定規と横定規をナツトで止めて動くようにし横定規の先端の所に取りはづしのできるさゝいの竿を縦定規の所へ取り付け、それにより三角形の形になる、その竿を縦定規の所で上下にスライドして、縦定規とスライドの接点の所に目盛りを付け角度を測る事が出来る、前記の拡大自由差し金は竿をはづし横定規は縦定規にたゝむ事ができはづした竿もダボを縦定規のダボ穴に押える事ができる。拡大自由差し金
【考案の詳細な説明】
【技術分野】
【０００１】本考案は建築工事の時に使う物である
【背景技術】
【０００２】長年職人として直角の差し金で正確に作つた建具を家の曲がつている所をかどをケヅり取り付けていた
【解決しようとする】
【０００３】１回で入れなければならない所はベニヤでした作りをしていた、これを解決した
【課題を解決するための手段】
【０００４】大きい自由に動く差し金があれば良いが場所を取りこれをたゝむ事ができればと思う
【考案の効果】
【０００５】差し金の縦定規と横定規をナツト止めて自由に動くようにして横定規の先端につながる竿はハヅス事のできる縦定規の所でスライドして測る事ができる
【考案を実施するための最良の形態】
【０００６】この定規は現場で測った所を記したあと縦定規の所へたゝむ事により何度でも測る事ができ竿は縦定規の所へ受け入れるダボ穴を付け押さいつけ持ち歩くことができる
【実施例】
【０００７】以下添付図面に従って説明する  １縦定規と  ２の横定規の間を  ３ナツトで動くようにし横定規の先端に  ４の金具で取りはづしのできる  ５竿をつけその先を  １の縦定規の所の  ６スライドに竿を付けスライドと縦定規の接点に目盛を付け角度を見て測る事ができる  柱と鴨居を側る時は縦定規の９．外側で見る  絡ったあと  ５竿をはづし  ２横定規は  １縦定規にたゝむ事ができはづした  ５竿も  ７のダボ  縦定規の  ８のダボ穴に押えたゝむ事ができる  工場での細工は縦定規の１０内側で見る
【産業上の利用可能性】
【０００８】曲つている家の建具を寸法取る時に拡大自由差し金を使う事で無駄なくできます【０００９】この拡大自由差し金があれば建築には充分に利用できます
【図面の簡単な説明】
【００１０】
【図１】本考案の真横面
【図２】本考案の下から見た所の面
【図３】本考案の斜め面
【符号の説明】
【００１１】  １縦定規
２横定規
３回転の出来るナツトネジ
４横定規の金具
５さゝえの竿
６スライド
７竿の所のダボ
８縦定規のダボ穴
９縦定規の外側
１０縦定規の内側
【図１】
0003203810.tif 000003
【図２】
0003203810.tif 000004
【図３】
0003203810.tif 000005
【手続補正書】
【提出日】平成27年7月15日(2015.7.15)
【手続補正１】
【補正対象書類名】実用新案登録請求の範囲
【補正対象項目名】請求項１
【補正方法】変更
【補正の内容】
【請求項１】
縦定規と横定規をナツトで止めて動くようにし横定規の先端を金具で取りはづしのできるささえの竿を付けその竿の先端を縦定規の所の留め金に取りはづしの出来るように取り付け三角形の形になり留め金と縦定規の所の接点に目盛を付け留め金をスライドして縦定規と横定規の角度を測る事が出来るこれを工場に持ち帰り仕事が出来ます特に建具は縦定規の内側で合わせ製作した後かたづけはささえの竿をはづしささえの竿の所のダボを縦定規のダホ穴に押しつけ横定規は縦定規の溝にタタム事が出来る拡大自由差し金
【手続補正２】
【補正対象書類名】明細書
【補正対象項目名】０００５
【補正方法】変更
【補正の内容】
【０００５】私は平成２６年１１月から仕事に使って居りドアーや障子戸など正確に作る事が出来る
【手続補正３】
【補正対象書類名】明細書
【補正対象項目名】０００６
【補正方法】変更
【補正の内容】
【０００６】この定規は現場で測った所を記したあと縦定規の所へたたむ事により何度でも測る事が出来竿は縦定規の所へ受け入れるダボ穴を付け押さいつけ持ち歩くことができる
【手続補正４】
【補正対象書類名】明細書
【補正対象項目名】０００７
【補正方法】変更
【補正の内容】
【０００７】以下添付図面に従って説明する  １縦定規と  ２の横定規の所を  ３ナツトで動くようにし横定規の先端に  ４の金具で取りはづしのできる  ５竿をつけそのささえの先端を  １縦定規の所の  ６留め金にも取りはづしのできるように取り付  ６留め金と１縦定規の接点に目盛を付け柱と鴨居の角度を測る事が出来るあと  ５竿をはづし２横定規は縦定規にたたむ事ができはづした  ５竿も  ７のダボを  １縦定規の  ８のダボ穴に押えたたむ事ができる工場での細工は  １０縦定規の内側を使って測ります
【手続補正５】
【補正対象書類名】明細書
【補正対象項目名】００１１
【補正方法】変更
【補正の内容】
【００１１】１縦定規２横定規３ナツト４横定規の金具５ささえの竿６留め金７竿の所のダボ８縦定規のダホ穴９現場で寸法を取る時に外側を使う１０工場で細工をする時に内側を使う
【手続補正書】
【提出日】平成27年10月14日(2015.10.14)
【手続補正１】
【補正対象書類名】実用新案登録請求の範囲
【補正対象項目名】全文
【補正方法】変更
【補正の内容】
【実用新案登録請求の範囲】
【請求項１】
縦定規と横定規をナツトで止めて動くようにし横定規の先端を金具で取りはづしのできるささえの竿を付けその竿の先端を縦定規の所の留め金に取りはづしの出来るように取り付け三角形になり留め金と縦定規の所の接点に目盛を付け留め金と縦定規の間をスライドして柱と鴨居の角度を測りこの拡大自由差し金を現場から工場に持ち帰り建具のドアー硝子戸障子のカマチの横手に縦定規の内側を手で押え上下を切断し現場に取り付ける事が出来ます後はささいの竿をはづし竿の所のダボを縦定規のダボ穴にはめ込み横定規は縦定規の溝にタタム事の出来る拡大自由差し金
【手続補正２】
【補正対象書類名】明細書
【補正対象項目名】０００７
【補正方法】変更
【補正の内容】
【０００７】以下添付図面に従って説明する  １縦定規と  ２の横定規の所の軸を  ３ナツトで動くようにし  ２横定規の先端に  ４金具で取りはづしのできる  ５ささえの竿を付け  ５ささえの竿の先端を  １縦定規の所の  ６留め金に取りはずしの出来るように取り付け三角形になり  ６留め金と  １縦定規の間の接点に目盛を付け  ６留め金と  １縦定規の間をスライドして柱と鴨居の角度を測りこの拡大自由差し金を現場から工場に持ち帰り建具のドアー硝子戸障子のカマチの横手に  １縦定規の内側を手で押え上下を切断し現場に取り付ける事が出来ます後は  ６ささいの竿をはづし  ６ささいの竿の所の  ７ダボを  １縦定規の  ８ダボ穴にはめ込み  ２横定規は  １縦定規の溝いたたむ事が出来ます
【手続補正書】
【提出日】平成28年2月1日(2016.2.1)
【手続補正１】
【補正対象書類名】実用新案登録請求の範囲
【補正対象項目名】全文
【補正方法】変更
【補正の内容】
【実用新案登録請求の範囲】
【請求項１】
縦定規と横定規をナットで止めて動くようにし、横定規の先端に金具で取り外しのできる支えの竿を付け、その竿の先端を縦定規のスライドに取り外しの出来るように取り付けて、縦定規と横定規と竿とで三角形の形とし、スライドと縦定規の接点に目盛を付けることにより、縦定規と横定規の角度を測ることが出来ることを特徴とする拡大自由差し金。